(57)【要約】【課題】Ｕターン時に曲げられることに対応できる可とう性と、Ｕターンする度に曲げと曲げからの戻しとが繰り返し働くことに対する耐久性とを有するエンドレスベルト及び回転搬送体を提供する。【解決手段】情報表示部を有するエンドレスベルトであって、情報表示部は少なくとも一方が透明で対向する２枚のフレキシブル基板により形成された空間を備え、前記空間には表示媒体が封入されており、前記フレキシブル基板は少なくとも一方向に曲がる可とう性を備える。また、上述したエンドレスベルトを用いて回転搬送体を得る。【選択図】図１
2010100382.tif 000002
【特許請求の範囲】
【請求項１】
情報表示部を有するエンドレスベルトであって、情報表示部は少なくとも一方が透明で対向する２枚のフレキシブル基板により形成された空間を備え、前記空間には表示媒体が封入されており、前記フレキシブル基板は少なくとも一方向に曲がる可とう性を備えることを特徴とするエンドレスベルト。
【請求項２】
前記表示媒体は電気的に駆動可能で光学反射率を有した粒子を含んだ粒子群であることを特徴とする請求項１に記載のエンドレスベルト。
【請求項３】
前記フレキシブル基板間は隔壁により複数の空間に区切られていることを特徴とする請求項１または２に記載のエンドレスベルト。
【請求項４】
前記隔壁とフレキシブル基板とを貼り合わせるための接着剤組成物として、室温で液状のエラストマーと、アクリル系および／またはメタクリル系化合物と、光ラジカル発生剤と、熱ラジカル発生剤とを含んでなり、アクリル系および／またはメタクリル系化合物及び光ラジカル発生剤による光硬化性と液状エラストマー及び熱ラジカル発生剤による熱硬化性を有し、アクリル系および／またはメタクリル系化合物の光照射によるラジカル重合により形成されるゲル状態の仮硬化状態を経た後、さらに加熱によってラジカルを発生させることでエラストマーの分子鎖の架橋反応により本硬化を行う接着剤組成物を用いることを特徴とする請求項３に記載のエンドレスベルト。
【請求項５】
請求項１〜４のいずれか１項に記載のエンドレスベルトを用いたことを特徴とする回転搬送体。
【発明の詳細な説明】
【技術分野】
【０００１】
本発明は、エンドレスベルトの外部から観察可能な表面に情報表示部を設けたエンドレスベルト及び回転搬送体に関するものである。
【背景技術】
【０００２】
従来、エンドレスベルトの外部から観察可能な表面に情報表示部を設けたエンドレスベルトを用いた回転搬送体の一例として、エスカレータのハンドレールに任意の表示内容を表示するために電子ペーパ装置を設け、電子ペーパ装置の表示内容を変更するために、電子ペーパ装置に表示内容を書き込む書込装置と、電子ペーパ装置に書き込んだ表示内容をリセットするリセット装置とを設けた乗客搬送装置が知られている（例えば、特許文献１参照）。
【０００３】
【特許文献１】特開２００５−７５５７４号公報
【発明の開示】
【発明が解決しようとする課題】
【０００４】
上述した特許文献１記載の技術では、エスカレータのハンドレールに任意の表示内容を表示するために電子ペーパ装置を設けている。エスカレータのハンドレールのようにエンドレスで回転し続けるものに電子ペーパ装置を搭載する場合、電子ペーパ装置には、回転に伴いＵターン時に曲げられることに対応できる可とう性と、Ｕターンする度に曲げと曲げからの戻しとが繰り返し働くことに対する耐久性とが要求されるが、特許文献１記載の電子ペーパ装置は、これらの可とう性および耐久性を満足できるものではなかった。
【０００５】
本発明の目的は上述した問題点を解消して、Ｕターン時に曲げられることに対応できる可とう性と、Ｕターンする度に曲げと曲げからの戻しとが繰り返し働くことに対する耐久性とを付与したエンドレスベルト及び回転搬送体を提供しようとするものである。
【課題を解決するための手段】
【０００６】
本発明のエンドレスベルトは、情報表示部を有するエンドレスベルトであって、情報表示部は少なくとも一方が透明で対向する２枚のフレキシブル基板により形成された空間を備え、前記空間には表示媒体が封入されており、前記フレキシブル基板は少なくとも一方向に曲がる可とう性を備えることを特徴とするものである。
【０００７】
本発明のエンドレスベルトの好適例としては、表示媒体は電気的に駆動可能で光学反射率を有した粒子を含んだ粒子群であること、フレキシブル基板間は隔壁により複数の空間に区切られていること、隔壁とフレキシブル基板とを貼り合わせるための接着剤組成物として、室温で液状のエラストマーと、アクリル系および／またはメタクリル系化合物と、光ラジカル発生剤と、熱ラジカル発生剤とを含んでなり、アクリル系および／またはメタクリル系化合物及び光ラジカル発生剤による光硬化性と液状エラストマー及び熱ラジカル発生剤による熱硬化性を有し、アクリル系および／またはメタクリル系化合物の光照射によるラジカル重合により形成されるゲル状態の仮硬化状態を経た後、さらに加熱によってラジカルを発生させることでエラストマーの分子鎖の架橋反応により本硬化を行う接着剤組成物を用いること、がある。
【０００８】
また、本発明の回転搬送体は、上述した構成を有するエンドレスベルトを用いたことを特徴とするものである。
【発明の効果】
【０００９】
本発明によれば、情報表示部は少なくとも一方が透明で対向する２枚のフレキシブル基板により形成された空間を備え、前記空間には表示媒体が封入されており、前記フレキシブル基板は少なくとも一方向に曲がる可とう性を備えることで、Ｕターン時に曲げられることに対応できる可とう性と、Ｕターンする度に曲げと曲げからの戻しとが繰り返し働くことに対する耐久性とを有するエンドレスベルトを用いる回転搬送体を得ることができる。
【発明を実施するための最良の形態】
【００１０】
まず、本発明のエンドレスベルトの情報表示部として使用する一例である帯電粒子移動方式の情報表示用パネルの基本的な構成について説明する。前記情報表示用パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１１】
以下、本発明のエンドレスベルトの情報表示部として使用する一例である帯電粒子移動方式の情報表示用パネルの例を、図１（ａ）−（ｃ）〜図７（ａ）−（ｃ）に基づき説明する。なお、以下の例では表示媒体として電気的に駆動可能で光学反射率を有した粒子として帯電粒子を用いた情報表示用パネルの例を説明するが、情報表示部の表示媒体はこれに限定されるものではなく、他の方式、例えばマイクロカプセル内に絶縁液体と粒子とを充填する方式や、従来からある液晶方式をも用いることができる。
【００１２】
図１（ａ）−（ｃ）に示す例では、少なくとも光学的反射率と帯電性とを有する粒子を含む粒子群であって、互いに光学的反射率および帯電特性の異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、少なくとも一方向にフレキシブルな基板間の隔壁で格子状に仕切られたセル７内に配置し、フレキシブル基板１に設けた電極５（ライン電極）とフレキシブル基板２に設けた電極６（ライン電極）とが対向直交交差して形成する画素電極対の間に電圧を印加することにより発生する電界に応じて、フレキシブル基板１、２と垂直に移動させる。そして、図１（ａ）に示すように、白色表示媒体３Ｗを観察者に視認させて白色表示を、あるいは、図１（ｂ）に示すように、黒色表示媒体３Ｂを観察者に視認させて黒色表示を、白黒のドットでマトリックス表示している。なお、図１（ａ）、（ｂ）において、手前にある隔壁は省略している。
【００１３】
本実施例の特徴は、図１（ａ）、（ｂ）で少なくとも一方向に曲げられる２枚の基板を貼り合わせて、少なくとも一方向に曲げられるパネル構造体とするときに用いる接着剤９とする接着剤組成物にある。また、図１（ａ）、（ｂ）に基板間ギャップ確保用部材として配置する隔壁間に、セル形成用の隔壁（仕切り部材）を２本設けた例を示すように、隔壁４を、（１）複数のセル７（本例では、図１（ｃ）にパネルを上から見た図を示すように、３×３＝９個のセル７）に対応して形成され、所望の基板間ギャップに対応する高さを有し、情報表示用パネルの基板間ギャップを保持するための基板間ギャップ確保用部材４−１と、（２）基板間ギャップ確保用部材４−１以外の部分で形成され、基板１、２間で隙間８を有し、情報表示用パネルの各セル７を形成するための隔壁部分（セル形成用仕切り部材）４−２と、から構成した点にも本実施例の特徴がある。ここでは隙間８の位置を基板間の中央付近とした例を示している。また、本実施例では、基板間ギャップ確保用部材４−１を、基板１に所望の基板間ギャップに対応する高さで形成し、その他の基板間空間をセル７に仕切るための隙間８を有する仕切り部材４−２を、双方の基板１、２に互いに対向して重なる位置に、双方の仕切り部材４−２−１、４−２−２の高さを合わせた長さが基板間ギャップ確保用部材４−１の長さ以下になるよう形成し、基板間ギャップ確保用部材４−１の頂上と基板２との間にのみ接着剤９を配置してもう一方の基板２とを貼り合わせてパネル構造体としている。
【００１４】
図２（ａ）−（ｃ）に示す例では、少なくとも光学的反射率と帯電性とを有する粒子を含む粒子群であって、互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、少なくとも一方向にフレキシブルな２枚の基板間の隔壁で格子状に仕切られたセル内７に配置し、フレキシブル基板１に設けた電極５（ＴＦＴ付き画素電極）とフレキシブル基板２に設けた電極６（共通電極）とが対向直交交差して形成する画素電極対の間に電圧を印加することにより発生する電界に応じて、フレキシブル基板１、２と垂直に移動させる。そして、図２（ａ）に示すように白色表示媒体３Ｗを観察者に視認させて白色表示を、あるいは、図２（ｂ）に示すように黒色表示媒体３Ｂを観察者に視認させて黒色表示を、白黒のドットでマトリックス表示している。なお、図２（ａ）、（ｂ）において、手前にある隔壁は省略している。
【００１５】
本実施例の特徴は、図２（ａ）、（ｂ）で少なくとも一方向に曲げられる２枚の基板を貼り合わせて、少なくとも一方向に曲げられるパネル構造体とするときに用いる接着剤９とする接着剤組成物にある。また、図２（ａ）、（ｂ）に基板間ギャップ確保用部材として配置する隔壁間に、セル形成用の隔壁（仕切り部材）を２本設けた例を示すように、隔壁４を、（１）複数のセル７（本例では、図２（ｃ）にパネルを上から見た図を示すように、３×３＝９個のセル７）に対応して形成され、所望の基板間ギャップに対応する高さを有し、情報表示用パネルの基板間ギャップを保持するための基板間ギャップ確保用部材４−１と、（２）基板間ギャップ確保用部材４−１以外の部分で形成され、基板１、２間で隙間８を有し、情報表示用パネルの各セル７を形成するための隔壁部分（セル形成用仕切り部材）４−２と、から構成した点にも本実施例の特徴がある。ここでは隙間８の位置を基板間の中央付近とした例を示している。また、本実施例では、基板間ギャップ確保用部材４−１を、基板１に所望の基板間ギャップに対応する高さで形成し、その他の基板間空間をセル７に仕切るための隙間８を有する仕切り部材４−２を、双方の基板１、２に互いに対向して重なる位置に、双方の仕切り部材４−２−１、４−２−２の高さを合わせた長さが基板間ギャップ確保用部材４−１の長さ以下になるよう形成し、基板間ギャップ確保用部材４−１の頂上と基板２との間にのみ接着剤９を配置してもう一方の基板２とを貼り合わせてパネル構造体としている。
【００１６】
図３（ａ）−（ｃ）に示す例では、少なくとも光学的反射率と帯電性とを有する粒子を含む粒子群であって、互いに光学的反射率および帯電特性の異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、少なくとも一方向にフレキシブルな基板間の隔壁で格子状に仕切られたセル７内に配置し、フレキシブル基板１に設けた電極５（ライン電極）とフレキシブル基板２に設けた電極６（ライン電極）とが対向直交交差して形成する画素電極対の間に電圧を印加することにより発生する電界に応じて、フレキシブル基板１、２と垂直に移動させる。そして、図３（ａ）に示すように白色表示媒体３Ｗを観察者に視認させて白色表示を、あるいは、図３（ｂ）に示すように黒色表示媒体３Ｂを観察者に視認させて黒色表示を、白黒のドットでマトリックス表示している。なお、図３（ａ）、（ｂ）において、手前にある隔壁は省略している。対向画素電極対はライン電極でなく、個別電極で形成することもできる。
【００１７】
本実施例の特徴は、図３（ａ）、（ｂ）で少なくとも一方向に曲げられる２枚の基板を貼り合わせて、少なくとも一方向に曲げられるパネル構造体とするときに用いる接着剤９とする接着剤組成物にある。また、図３（ａ）、（ｂ）に基板間ギャップ確保用部材として配置する隔壁間に、セル形成用の隔壁（仕切り部材）を２本設けた例を示すように、隔壁４を、（１）複数のセル７（本例では、図３（ｃ）にパネルを上から見た図を示すように、３×３＝９個のセル７）に対応して形成され、所望の基板間ギャップに対応する高さを有し、情報表示用パネルの基板間ギャップを保持するための基板間ギャップ確保用部材４−１と、（２）基板間ギャップ確保用部材４−１以外の部分で形成され、基板１、２間で隙間８を有し、情報表示用パネルの各セル７を形成するための隔壁部分（セル形成用仕切り部材）４−２と、から構成した点にも本実施例の特徴がある。ここでは隙間８の位置を基板間の中央よりやや下側とした例を示している。また、本実施例では、基板間ギャップ確保用部材４−１を、基板１に所望の基板間ギャップに対応する高さで形成し、その他の基板間空間をセル７に仕切るための隙間８を有する仕切り部材４−２を、双方の基板１、２に互いに対向して重なる位置に、双方の仕切り部材４−２−１、４−２−２の高さを合わせた長さが基板間ギャップ確保用部材４−１の長さ以下になるよう形成し、基板間ギャップ確保用部材４−１の頂上と基板１との間にのみ接着剤９を配置してもう一方の基板１とを貼り合わせてパネル構造体としている。
【００１８】
図４（ａ）、（ｂ）に示す例では、３個のセル（ピクセル）で表示単位（１ドット）を構成するカラー表示の例を示している。図４（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第１のセル２１−１、第２のセル２１−２および第３のセル２１−３の３個のセル（ピクセル）で表示単位（１ドット）を構成している。各ピクセルに対応する位置にカラーフィルター２２Ｒ、２２Ｇ、２２ＢＬを設けている。本例では、カラー表示を行う際に、図４（ｂ）に示すように、観察者側に、第１セル２１−１〜第３のセル２１−３の全てにおいて白色表示媒体３Ｗを移動すると、観察者に対し白色ドット表示を行うことができ、図４（ｂ）の状態から白色表示媒体３Ｗと黒色表示媒体３Ｂとを反転させることで、観察者側に、第１セル２１−１〜第３のセル２１−３の全てにおいて黒色表示媒体３Ｂを移動すると、観察者に対し黒色ドット表示を行うことができる。ピクセルごとに配置した表示媒体の移動のさせ方で、多色カラーのドットマトリックス表示を行うことができる。
【００１９】
本実施例の特徴は、図４（ａ）、（ｂ）で少なくとも一方向に曲げられる２枚の基板を貼り合わせて、少なくとも一方向に曲げられるパネル構造体とするときに用いる接着剤９とする接着剤組成物にある。また、図４（ｂ）に基板間ギャップ確保用部材として配置する隔壁間に、セル形成用の隔壁（仕切り部材）を２本設けた例を示すように、隔壁４を、（１）複数のセル７（本例では、図４（ａ）にパネルを上から見た図を示すように、３×１＝３個のセル７）に対応して形成され、所望の基板間ギャップに対応する高さを有し、情報表示用パネルの基板間ギャップを保持するための基板間ギャップ確保用部材４−１と、（２）基板間ギャップ確保用部材４−１以外の部分で形成され、基板１、２間で隙間８を有し、情報表示用パネルの各セル７を形成するための隔壁部分（セル形成用仕切り部材）４−２と、から構成した点にも本実施例の特徴がある。また、本実施例では、基板間ギャップ確保用部材４−１を、基板１に所望の基板間ギャップに対応する高さで形成し、その他の基板間空間をセル７に仕切るための隙間８を有する仕切り部材４−２を、基板間ギャップ確保用部材４−１の長さ以下になるよう形成し、基板間ギャップ確保用部材４−１の頂上と基板１との間にのみ接着剤９を配置してもう一方の基板２とを貼り合わせてパネル構造体としている。
【００２０】
図５（ａ）、（ｂ）に示す例では、３個のセル（ピクセル）で表示単位（１ドット）を構成するカラー表示の例を示している。図５（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第１のセル２１−１、第２のセル２１−２および第３のセル２１−３の３個のセル（ピクセル）で表示単位（１ドット）を構成している。各ピクセルに対応する位置にカラーフィルター２２Ｒ、２２Ｇ、２２ＢＬを設けている。本例では、カラー表示を行う際に、図５（ｂ）に示すように、観察者側に、第１セル２１−１〜第３のセル２１−３の全てにおいて白色表示媒体３Ｗを移動すると、観察者に対し白色ドット表示を行うことができ、図５（ｂ）の状態から白色表示媒体３Ｗと黒色表示媒体３Ｂとを反転させることで、観察者側に、第１セル２１−１〜第３のセル２１−３の全てにおいて黒色表示媒体３Ｂを移動すると、観察者に対し黒色ドット表示を行うことができる。ピクセルごとに配置した表示媒体の移動のさせ方で、多色カラーのドットマトリックス表示を行うことができる。
【００２１】
本実施例の特徴は、図５（ａ）、（ｂ）で少なくとも一方向に曲げられる２枚の基板を貼り合わせて、少なくとも一方向に曲げられるパネル構造体とするときに用いる接着剤９とする接着剤組成物にある。また、図５（ｂ）に基板間ギャップ確保用部材として配置する隔壁間に、セル形成用の隔壁（仕切り部材）を２本設けた例を示すように、隔壁４を、（１）複数のセル７（本例では、図５（ａ）にパネルを上から見た図を示すように、３×１＝３個のセル７）に対応して形成され、所望の基板間ギャップに対応する高さを有し、情報表示用パネルの基板間ギャップを保持するための基板間ギャップ確保用部材４−１と、（２）基板間ギャップ確保用部材４−１以外の部分で形成され、基板１、２間で隙間８を有し、情報表示用パネルの各セル７を形成するための隔壁部分（セル形成用仕切り部材）４−２（４−２−１と４−２−２）と、から構成した点にも本実施例の特徴がある。また、本実施例では、基板間ギャップ確保用部材４−１を、基板１に所望の基板間ギャップに対応する高さで形成し、その他の基板間空間をセル７に仕切るための隙間８を有する仕切り部材４−２を双方の基板１、２に互いに対向して重なる位置に、双方の仕切り部材４−２−１、４−２−２の高さを合わせた長さが、基板間ギャップ確保用部材４−１の長さ以下になるよう形成し、基板間ギャップ確保用部材４−１の頂上と基板１との間にのみ接着剤９を配置してもう一方の基板２とを貼り合わせてパネル構造体としている。
【００２２】
図６（ａ）−（ｃ）に示す例では、４個のセル（ピクセル）で表示単位（１ドット）を構成するカラー表示の例を示している。図６（ａ）−（ｃ）に示す例では、表示媒体としてはセル２１−１〜２１−４の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第４のセル２１−４の観察者側に無色透明カラーフィルター２２Ｔを設け、第１のセル２１−１、第２のセル２１−２、第３のセル２１−３および第４のセル２１−４の４個のセル（ピクセル）で表示単位（１ドット）を構成している。各ピクセルに対応する位置にカラーフィルター２２Ｒ、２２Ｇ、２２ＢＬを設けている。本例では、カラー表示を行う際に、図６（ｂ）、（ｃ）に示すように、観察者側に、第１セル２１−１〜第４のセル２１−４の全てにおいて白色表示媒体３Ｗを移動すると、観察者に対し白色ドット表示を行うことができ、図６（ｂ）、（ｃ）の状態から白色表示媒体３Ｗと黒色表示媒体３Ｂとを反転させることで、観察者側に、第１セル２１−１〜第４のセル２１−４の全てにおいて黒色表示媒体３Ｂを移動すると、観察者に対し黒色ドット表示を行うことができる。ピクセルごとに配置した表示媒体の移動のさせ方で、多色カラーのドットマトリックス表示を行うことができる。
【００２３】
本実施例の特徴は、図６（ａ）、（ｂ）で少なくとも一方向に曲げられる２枚の基板を貼り合わせて、少なくとも一方向に曲げられるパネル構造体とするときに用いる接着剤９とする接着剤組成物にある。また、図６（ａ）−（ｃ）に基板間ギャップ確保用部材として配置する隔壁間に、セル形成用の隔壁（仕切り部材）を１本設けた例を示すように、隔壁４を、（１）複数のセル７（本例では、図６（ａ）にパネルを上から見た図を示すように、２×２＝４個のセル７）に対応して形成され、所望の基板間ギャップに対応する高さを有し、情報表示用パネルの基板間ギャップを保持するための基板間ギャップ確保用部材４−１と、（２）基板間ギャップ確保用部材４−１以外の部分で形成され、基板１、２間で隙間８を有し、情報表示用パネルの各セル７を形成するための隔壁部分（セル形成用仕切り部材）４−２と、から構成した点にも本実施例の特徴がある。また、本実施例では、基板間ギャップ確保用部材４−１を、基板１に所望の基板間ギャップに対応する高さで形成し、その他の基板間空間をセル７に仕切るための隙間８を有する仕切り部材４−２を、基板間ギャップ確保用部材４−１の長さ以下になるよう形成し、基板間ギャップ確保用部材４−１の頂上と基板１との間にのみ接着剤９を配置してもう一方の基板２とを貼り合わせてパネル構造体としている。
【００２４】
図７（ａ）−（ｃ）に示す例では、４個のセル（ピクセル）で表示単位（１ドット）を構成するカラー表示の例を示している。図７（ａ）−（ｃ）に示す例では、表示媒体としてはセル２１−１〜２１−４の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第４のセル２１−４の観察者側に透明カラーフィルター２２Ｔを設け、第１のセル２１−１、第２のセル２１−２、第３のセル２１−３および第４のセル２１−４の４個のセル（ピクセル）で表示単位（１ドット）を構成している。各ピクセルに対応する位置にカラーフィルター２２Ｒ、２２Ｇ、２２ＢＬを設けている。本例では、カラー表示を行う際に、図７（ａ）、（ｂ）に示すように、観察者側に、第１セル２１−１〜第４のセル２１−４の全てにおいて白色表示媒体３Ｗを移動すると、観察者に対し白色ドット表示を行うことができ、図７（ａ）、（ｂ）の状態から白色表示媒体３Ｗと黒色表示媒体３Ｂとを反転させることで、観察者側に、第１セル２１−１〜第４のセル２１−４の全てにおいて黒色表示媒体３Ｂを移動すると、観察者に対し黒色ドット表示を行うことができる。ピクセルごとに配置した表示媒体の移動のさせ方で、多色カラーのドットマトリックス表示を行うことができる。
【００２５】
本実施例の特徴は、図７（ａ）、（ｂ）で少なくとも一方向に曲げられる２枚の基板を貼り合わせて、少なくとも一方向に曲げられるパネル構造体とするときに用いる接着剤９とする接着剤組成物にある。また、図７（ａ）−（ｃ）に基板間ギャップ確保用部材として配置する隔壁間に、セル形成用の隔壁（仕切り部材）を１本設けた例を示すように、隔壁４を、（１）複数のセル７（本例では、図７（ｃ）にパネルを上から見た図を示すように、２×２＝４個のセル７）に対応して形成され、所望の基板間ギャップに対応する高さを有し、情報表示用パネルの基板間ギャップを保持するための基板間ギャップ確保用部材４−１と、（２）基板間ギャップ確保用部材４−１以外の部分で形成され、基板１、２間で隙間８を有し、情報表示用パネルの各セル７を形成するための隔壁部分（セル形成用仕切り部材）４−２と、から構成した点にも本実施例の特徴がある。ここでは隙間８の位置を基板間の中央とした例を示している。また、本実施例では、基板間ギャップ確保用部材４−１を、基板１に所望の基板間ギャップに対応する高さで形成し、その他の基板間空間をセル７に仕切るための隙間８を有する仕切り部材４−２を、双方の基板１、２に互いに対向して重なる位置に、双方の仕切り部材４−２−１、４−２−２の高さを合わせた長さが基板間ギャップ確保用部材４−１の長さ以下になるよう形成し、基板間ギャップ確保用部材４−１の頂上と基板２との間にのみ接着剤９を配置してもう一方の基板２とを貼り合わせてパネル構造体としている。
【００２６】
図１（ａ）−（ｃ）〜図７（ａ）−（ｃ）に示す情報表示用パネルの実施例では、基板間ギャップ確保用として設ける基板間ギャップ確保用部材４−１以外の、基板間空間をセル７に仕切るための仕切り部材４−２−１と４−２−２との間における隙間８、または、仕切り部材４−２と基板１または２との間の隙間８を形成することで、２枚の基板１、２同士の非接合部分を設け、好ましくはこの非接合部分の最小単位をセルの格子状配列において２×４以上または３×３以上としてパネル構造体のフレキシビリティを得やすくしている。図１（ａ）−（ｃ）〜図７（ａ）−（ｃ）に示す情報表示用パネルの実施例では、基板間ギャップ確保用部材の頂上に、本発明に係る接着剤組成物を配置して観察面側基板と背面側基板とを貼り合わせている。
【００２７】
粒子群として構成された表示媒体を、対向する基板１、２間を垂直方向に反転移動させる方式の情報表示用パネルでは、基板間ギャップ確保用部材４−１以外の、基板間空間をセル７に仕切るための隔壁部分（セル形成用仕切り部材）４−２において形成される、２枚の基板同士の非接合部分（隙間８）は、例えば図１（ａ）−（ｃ）に示すように仕切り部材４−２−１と４−２−２との間、特に基板間の中央付近において形成することが好ましい。これは、粒子の反転移動の起点に近い仕切り部材４−２と基板１または２との間に隙間８がある構造であると、粒子が移動する際に、粒子が隙間８から隣のセル７に移動して画面全体における表示媒体となる粒子群の配置分布にばらつきが生まれ、表示画像品質の低下に繋がりやすくなるためである。
【００２８】
上述した仕切り部材４−２が有する隙間８は、表示媒体とする粒子群の平均粒子径以下とすることが好ましい。これによって、表示媒体を構成する粒子が隣のセル７に移動することを十分に抑制すると共に２枚の基板同士の非接合部（僅かながらでも隙間８を有する）を形成することで、情報表示用パネル（パネル構造体）のフレキシビリティが保たれる。
【００２９】
基板間ギャップ確保用部材４−１とその他の基板間空間をセル７に仕切るための隔壁部分（セル形成用仕切り部材）４−２の配置は格子状とするが、セル７の横断面形状は、四角形、三角形、六角形等の多角形や、円形、楕円形、レーストラック形等いずれでも良いし、複数の形状を組み合わせても良い。領域の開口率を大きくできる点からは四角形が好ましく、表示媒体を構成する粒子を移動しやすくできる点からは曲線を有する形状が好ましい。以上の観点から角丸付きの四角形が好ましく用いられる。
【００３０】
図８（ａ）−（ｃ）および図９（ａ）−（ｃ）はそれぞれ本発明で情報表示部として用いる情報表示用パネルの製造方法の一例を説明するための図である。まず、図８（ａ）−（ｃ）および図９（ａ）−（ｃ）に示す例において、観察面側基板２は透明で少なくとも一方向に曲げられる基板とし、観察面側電極６は透明で可とう性のある電極とするが、背面側基板１は透明基板でなくても少なくとも一方向に曲げられればよく、背面側電極５は透明でなくても可とう性があれば良い。また、観察面側基板と背面側基板とは、図８（ａ）−（ｃ）および図９（ａ）−（ｃ）に示す例と反対の構成でもよい。
【００３１】
図８（ａ）−（ｃ）に示す例では、まず、図８（ａ）に示すように、ライン電極６を設けた少なくとも一方向に曲げられる観察面側基板２とライン電極５を設けた少なくとも一方向に曲げられる背面側基板１との双方に、それぞれ、隙間８を有する仕切り部材４−２を形成するための仕切り部材４−２−１と仕切り部材４−２−２とを対向して設けるとともに、背面側基板１に基板間ギャップ確保用部材４−１を設けて、観察面側基板２と背面側基板１とを準備する。次に、図８（ｂ）に示すように、黒色表示媒体３Ｂと白色表示媒体３Ｗとを、背面側基板１のセル対応部分に順次配置する。最後に、図８（ｃ）に示すように、基板間ギャップ確保用部材４−１の頂上部に本発明の接着剤組成物である接着剤９を設け、２枚の基板１、２を曲げられる方向を合わせて接着剤９で貼り合わせることで、本発明で用いる少なくとも一方向に曲げられる情報表示部を得ることができる。本例では、セル形成用部材４−２−１と４−２−２との間に、１μｍ以上で表示媒体を構成する粒子群の平均粒子径以下の隙間８を設けた。
【００３２】
図９（ａ）−（ｃ）に示す例では、まず、図９（ａ）に示すように、ライン電極６を設けた少なくとも一方向に曲げられる観察面側基板２と、基板間ギャップ確保用部材４−１とその高さ以下の高さの仕切り部材４−２とを形成したライン電極５を設けた少なくとも一方向に曲げられる背面側基板１とを準備する。次に、図９（ｂ）に示すように、黒色表示媒体３Ｂと白色表示媒体３Ｗとを、背面側基板１のセル対応部分に順次配置する。最後に、図９（ｃ）に示すように、基板間ギャップ確保用部材４−１の頂上部に本発明の接着剤組成物である接着剤９を設け、２枚の基板１、２を接着剤９で貼り合わせることで、本発明で用いる情報表示用パネルを得ることができる。本例では、セル形成用部材４−２と基板２との間に、１μｍ以上で表示媒体を構成する粒子群の平均粒子径以下の隙間８を設けた。
【００３３】
次に、本発明のエンドレスベルトの情報表示部として使用する情報表示用パネルおよび情報表示用パネルを駆動させるための電子部品を搭載した回路基板とを組み合わせた情報表示部ユニットとするための好適な手段を、図１０（ａ）−（ｃ）、図１１、図１２および図１３を参考にして、説明する。いずれの手段も、図１（ａ）−（ｃ）〜図７（ａ）−（ｃ）に示した接着剤組成物の使用と隔壁構造による可とう性付与に加えて利用することで、本発明のエンドレスベルトの情報表示部として使用する情報表示用パネルと回路基板とを組み合わせた情報表示部ユニットに必要な可とう性や通信性を、より好適に実現することができる。
【００３４】
図１０（ａ）−（ｃ）は、それぞれ、情報表示部となる情報表示用パネルにおいて、観察面側電極と回路基板との接続部および背面側電極と回路基板との接続部を、情報表示部のエンドレスベルト進行方向と直交する一辺に設け、長い形状の接続部材（例えば、駆動用ＩＣ付きのフレキシブルケーブルや、駆動用ＩＣがＴＡＢ実装されたフレキシブルケーブル、駆動用ＩＣ実装部分の配置及び駆動用ＩＣとの接続用フレキシブルケーブルなど）を、エンドレスベルト進行方向と直交する方向に配置することで、エンドレスベルト進行方向と直角な方向に対する可とう性を維持した例を示す図である。
【００３５】
図１０（ａ）−（ｃ）に示す本発明で用いる情報表示用パネルは、透明な観察面側基板と透明であることを要しない背面側基板との間に表示媒体を封入し、各基板に設けた電極間に電圧を印加し、表示媒体に電界を与えることにより、表示媒体を移動させて画像等の情報を表示する情報表示用パネルにおいて、観察面側基板の少なくとも表示エリアに設けられた透明な導電膜からなる第１のストライプ電極と；背面側基板の少なくとも表示エリアに設けられた、金属膜などの導電膜からなるとともに第１のストライプ電極とほぼ直交して設けられた第２のストライプ電極と；観察面側基板の表示エリア外に設けられた、金属膜などの導電膜からなるとともに第２のストライプ電極に接続したる第２の引き出し線と；観察面側基板の表示エリア外に設けられた、金属膜などの導電膜からなるとともに第１のストライプ電極と接続した第１の引き出し線と；から構成されるものである。
【００３６】
まず、図１０（ａ）に示すように、フィルム基板等の少なくとも一方向に曲げられる基板からなる背面側基板３１の少なくとも表示エリア３２に対応する位置に、酸化インジウム錫（ＩＴＯ）などの導電性膜からなる第１のストライプ電極３３をパターニングして形成する。次に、図１０（ｂ）に示すように、観察面側基板３４の表示エリア３２に対応する位置に透明なＩＴＯ膜からなる第２のストライプ電極３５および表示エリア３２外に金属膜からなる第２の引き出し線３６および第１の引き出し線３７を、パターニングして形成する。この際、第２のストライプ電極３５は、観察面側基板３４上の少なくとも表示エリア３２に対応する位置に、観察面側基板３４と背面側基板３１とを重ね合わせたとき、第１のストライプ電極３３とほぼ直交するよう形成されている。また、第２の引き出し線３６は、観察面側基板３４上の表示エリア３２外の位置に、第２のストライプ電極３５と接続して、パネルの一端面（駆動用ＩＣがＴＡＢ構成されたフレキシブルケーブル実装部となる）まで引き回して形成されている。
【００３７】
さらに、第１の引き出し線３７は、観察面側基板３４の表示エリア３２外の位置に、背面側基板３１と観察面側基板３４とを重ね合わせたときに、第１のストライプ電極３３の端部と第１の引き出し線３７の端部とが上下に重なるように、パネルの一端面から形成されている。最後に、図１０（ｃ）に示すように、導電性粒子を含み異方導電性を有するシール剤３８を、表示エリア３２の外周であって表示エリア３２を囲むよう、そして、第１のストライプ電極３３の端部と第１の引き出し線３７の端部とが重なり合う部分に配置されるよう、設けた状態で、観察面側基板３４と背面側基板３１とを貼り合わせることで、本発明で用いる情報表示用パネルを得ている。本実施例では、第２の引き出し線３６と第１の引き出し線３７とをパネルの一方向（図中下側の一辺）に引き回して回路基板との接続部とを接続することで、回路基板との接続部を形成しており、その際、ＴＡＢ実装された駆動用ＩＣを、エンドレスベルトの進行方向と直交する方向に長い形状が配置されるように接続することで、エンドレスベルト進行方向と直角な方向に対する可とう性を維持させることができる。画素用電極をストライプ電極で構成する場合、観察面側ストライプ電極は、図１０に示すように、エンドレスベルト進行方向と直角な方向に並ぶようにするのが好ましい。
【００３８】
図１１〜図１３に示す例は、それぞれ、本発明で用いる情報表示用パネルに表示すべき情報の通信を可能とする構成の一例を示している。本発明のエンドレスベルトを用いる回転搬送体では、情報表示部を構成する情報表示用パネルはエンドレスに回転するため、以下に示すような構成の通信手段を備えることで、情報表示部に表示する情報の通信を無線で行うことが好ましい。
【００３９】
図１１に示す例において、情報表示ユニット４１は、表示メモリー性のある表示器４２（少なくとも一方向にフレキシブルな情報表示用パネル）、ドライバー回路４３、ＣＰＵ４４、通信回路４５、バッテリー４６を搭載した少なくとも一方向にフレキシブルな回路基板とから構成されている。上述した構成の本発明で用いる情報表示ユニット４１は、離れた位置にある外部装置４７から、無線ＬＡＮ、赤外線などにより表示情報を送信および／または受信できるよう構成されている。図１１に示す例において、表示メモリー性のある表示器４２は表示書き換えの時だけ電力を必要とし、表示を維持する際には全くエネルギーを必要としない。表示パターンにあわせて形成された電極を有するいわゆるセグメント表示方式や、ドットマトリクス電極を有し任意のパターンを表示できるドットマトリクス表示方式などがある。また、図１１に示す例において、ドライバー回路４３は、表示器４２の各々の電極に対して個別に電圧を印加するための回路である。印加電圧がバッテリー４６などの電圧と異なる場合、必要な電圧に変換する回路も含んでいる。さらに、図１１に示す例において、ＣＰＵ４４はドライバー回路４３および通信回路４５をコントロールする回路であり、通信回路４５は外部装置４７と画像などの情報を無線でやりとりする回路である。通信回路４５は無線方式別のアンテナもしくは受発光素子を含んでいる。ここで、無線方式としては、無線ＬＡＮ、赤外線通信、Bluetooth、ＲＦなどが考えられる。表示器と回路基板とは重ねて配置してもよいし、並列に配置してもよい。いずれの配置においても曲げられる方向が揃うようにする。
【００４０】
図１２に示す例では、情報表示ユニット４１を、図１１に示す表示器４２とドライバー回路４３、ＣＰＵ４４、通信回路４５、バッテリー４６の構成に加えて、表示情報を保持する表示情報保持回路５１を設けた回路基板とで構成している。表示情報保持回路５１は、電気的に表示情報を記録・読み出しできる装置であり、いわゆるＳＲＡＭやＥＥＰＲＯＭなどで構成することができる。そして、無線により受信した情報を書き込む。また、製造時に書き込まれ、使用時には書き換えないこともある（いわゆるＲＯＭ）。表示器と回路基板とは重ねて配置してもよいし、並列に配置してもよい。いずれの配置においても曲げられる方向が揃うようにする。
【００４１】
図１３に示す例では、情報表示ユニット４１を、図１１に示す表示器４２とドライバー回路４３、ＣＰＵ４４、通信回路４５の構成に加えて、バッテリー４６の代わりにエネルギー源として２次電池５２を設けた回路基板とで構成している。２次電池５２は、充電可能な電池であり、無線としてＲＦを使用する場合は搬送波を整流して電池を充電することや、太陽電池を別途搭載し、この電力で充電することができる。なお、２次電池５２のほかにコンデンサーをエネルギー源として使用することもできる。表示器と回路基板とは重ねて配置してもよいし、並列に配置してもよい。いずれの配置においても曲げられる方向が揃うようにする。
【００４２】
さらに、本発明のエンドレスベルトを用いる回転搬送体の情報表示部として使用する情報表示用パネルにおいて、可とう性を付与するためにより好適な他の手段について説明する。本発明では、隔壁とフレキシブル基板とを、あるいは、基板間ギャップ確保用部材とフレキシブル基板とを、貼り合わせるための接着剤組成物として、室温で液状のエラストマーと、アクリル系および／またはメタクリル系化合物と、光ラジカル発生剤と、熱ラジカル発生剤とを含んでなり、アクリル系および／またはメタクリル系化合物及び光ラジカル発生剤による光硬化性と液状エラストマー及び熱ラジカル発生剤による熱硬化性を有し、アクリル系および／またはメタクリル系化合物の光照射によるラジカル重合により形成されるゲル状態の仮硬化状態を経た後、さらに加熱によってラジカルを発生させることでエラストマーの分子鎖の架橋反応により本硬化を行う接着剤組成物を用いる。これにより、接着後非常に硬くなる接着剤層の問題を解消することができ、可とう性が必要な情報表示用パネルに好適な接着剤組成物を提供することができる。
【００４３】
上記接着剤組成物を構成するアクリル系および／又はメタクリル系化合物としては、脂肪族アクリレート、芳香族アクリレート、アミノ基、水酸基、カルボキシル基、オリゴオキシエチテン部位、ピリジル基、グリシジル基などをするアクレートおよび／またはそれらのメタクリレートが挙げられる。ゲル状態を形成させる、すなわちアクリル系化合物硬化物による３次元構造体を形成させるために、アクリル系化合物は単官能化合物と多官能化合物とを２種以上共用するのが適している。そのような単官能化合物と多官能化合物との具体的な組み合わせとしては、ドデシルメタクリレート／テトラエチレングリコールジアクリレート／トリメチロールプロパントリアクリレート、ヒドロキシエチルメタクリレート／テトラエチレングリコールジアクリレート、フェニルアクリレート／トリメチロールプロパントリアクリレートなどが挙げられる。これらの中でも液状エラストマーとの相溶性の観点から、ドデシルメタクリレート／テトラエチレングリコールジアクリレート／トリメチロールプロパントリアクリレートが好ましい。なお、本発明に係る接着組成物におけるアクリル系化合物の混合量は特に制限はないが、適度なゲル状態とするためには、液状エラストマーに対しアクリル系化合物を１０重量％から１００重量％添加するのが好ましい。
【００４４】
上記接着剤組成物を構成するアクリル系化合物の光硬化に用いる光ラジカル発生剤としては、４−ヒドロキシシクロヘキシルフェニルケトン（チバ・ジャパン製Irgacure（登録商標）184）、２，２−ジメトキシ−１，２−ジフェニルエタン−１−オン（チバ・ジャパン製Irgacure（登録商標）651）、２−ヒドロキシ−２−メチル−１−フェニルプロパン−１−オン（チバ・ジャパン製Irgacure（登録商標）1173）などが挙げられる。なお、本発明の接着剤組成物における光ラジカル発生剤の混合量は、反応性や貯蔵安定性の観点から、液状エラストマーに対し、０．１重量％から３．０重量％が好ましい。
【００４５】
上記液状エラストマーとしては、一般的な合成ゴムをベースとし、それらの分子量を低減させ、室温で液状であるものが好ましく、ベースの合成ゴムとしては、ポリブタジエン、ポリイソプレン、スチレン−ブタジエン共重合体、スチレン−イソプレン共重合体、イソブチレン−イソプレン共重合体並びにそれらの誘導体及び水素添加型のものが挙げられる。分子量としては、重量平均分子量で２０，０００〜５０，０００程度が好ましい。
【００４６】
液状エラストマーの硬化に用いる熱ラジカル発生剤としては、ジベンゾイルパーオキサイド、ジ（３−メチルベンゾイル）パーオキサイド、ジイソブチルパーオキサイドなどのアシルラジカル系ラジカル発生剤、ジ−ｔ−ブチルパーオキサイド、ｔ−ブチルクミルパーオキサイド、ジクミルパーオキサイドなどのアルキルラジカル系ラジカル発生剤、１，１−ジ（ｔ−ブチルパーオキシ）シクロヘキサン、メチルエチルケトンパーオキサイドなどのケトンラジカル系のラジカル発生剤が挙げられる。本発明において、液状エラストマーをラジカルにより架橋させて固体とするために、ラジカル発生剤の性質としては、発生したラジカルの分子鎖中の水素引き抜き能力が強いことが必要である。したがって、上述したラジカル発生剤の中でもアルキルラジカル系やケトンラジカル系のラジカル発生剤が好ましく、中でも開裂温度が適度に低く、フレキシブルなパネル構造体へのプロセス（低温工程）適用性を満たし、かつ貯蔵安定性のバランスという観点から、ケトンラジカル系、特に１，１−ジ（ｔ−ブチルパーオキシ）シクロヘキサンが好ましい。なお、本発明の接着剤組成物における熱ラジカル発生剤の混合量は反応性や貯蔵安定性の観点から、液状エラストマーに対し、１．０重量％から１０．０重量％が好ましい。
【００４７】
本発明に係る接着剤組成物には、必要に応じて、上述したアクリル系化合物、液状エラストマー、光ラジカル発生剤、熱ラジカル発生剤の他にも、必要に応じてシランカップリング剤を添加してもよい。シランカップリング剤としては、３−メタクロキシプロピルトリメトキシシラン、３−メタクロキシプロピルトリエトキシシラン、３−アミノプロピルトリメトキシシラン、３−アミノプロピルトリエトキシシランなどが挙げられる。
【００４８】
また、本発明に係る接着剤組成物に、必要に応じて、シリカ、グラスファイバーなどのフィラーを添加して、粘度を調節することができる。
【００４９】
また、本発明に係る接着剤組成物は、工程安定化、安全・環境面の観点から、低沸点成分、すなわち沸点が１５０℃以下の物質を含有しない形態で用いることが好ましい。
【００５０】
また、本発明に係る接着剤組成物は、可とう性（＝フレキシブル性）を要する部分、例えば２枚のフレキシブルフィルムを重ねた本発明の情報表示用パネルや本発明の回路基板の接着に好適に用いることができる。
【００５１】
図１４（ａ）−（ｄ）は、それぞれ、本発明のエンドレスベルトを用いる回転搬送体の一例としてエスカレータの手摺りベルトおよびエスカレータの例を説明するための図である。図１４（ａ）−（ｄ）に示す例では、エスカレータのエンドレスに回転する手摺りベルト６１の外部から観察可能な表面に、可とう性を有する情報表示ユニット４１を複数個設けて、回転搬送体を構成している。利用者６２は、エスカレータ乗車時に、手摺りベルト６１に設けられた情報表示ユニット４１の表示情報を見ることができる。図１４（ｂ）−（ｄ）のそれぞれに示すように、情報表示ユニット４１としては、バッテリー４６、ドライバー４３、ＣＰＵ４４、通信回路４５、表示情報保持回路５１、二次電池５２などのリジッドな装置を点在配置した少なくとも一方向に曲げられるフレキシブルな回路基板７１を、少なくとも一方向に曲げられるフレキシブル情報表示用パネル７２の裏側に配置した構成とすることが好ましい。この回路基板７１は情報表示用パネル７２と並べて配置した構成としてもよい。なお、上述したリジッドな装置は、ベルト６１の進行方向と直交する方向に長い形状とし、エンドレスベルト進行方向と直角な方向に対する可とう性を維持させることが好ましい。
【００５２】
図１５（ａ）−（ｃ）は、それぞれ、図１４（ａ）−（ｄ）に示したエスカレータに設けた情報表示ユニット４１の情報表示部に表示する情報の一例を説明するための図である。図１５（ａ）に示す例において、エスカレータの手摺りベルト６１に設けられた情報表示ユニット４１のうち、太い点線８１で囲んだ位置にある情報表示ユニット４１には「イベント情報」の表示を行い、細い点線８２で囲んだ位置にある情報表示ユニット４１には「イベント情報」の表示を「注意情報」の表示に書き換えて表示している。
【００５３】
なお、図１４（ａ）−（ｄ）および図１５（ａ）−（ｃ）に示す例では、本発明のエンドレスベルトを用いる回転搬送体の一例としてエスカレータの手摺りベルトおよびエスカレータの例を示したが、水平方向に移動させるマンコンベヤの手摺りベルトおよびマンコンベヤや、その他のエンドレスベルトおよび回転搬送体にも本発明を適用することができる。例えば、エンドレスに回転するコンベアベルトに可とう性のある情報表示ユニットを搭載して、その位置にある製品の表示を情報表示部で行うことで、製品の識別に本発明を用いることもできる。
【００５４】
以下、本発明のエンドレスベルトに搭載する情報表示ユニットに使用する情報表示用パネルを構成する各部材の材料等について、さらに詳細に説明する。
【００５５】
基板としては、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系基板や、ガラスシート、石英シート、金属シート等を用い、観察面側には、このうち透明なものを用いる。また、少なくとも一方向に曲げられるように構成する必要がある。
【００５６】
対向して配置する電極の材料に関して、観察側基板の表示エリアに設ける透明電極材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられる。
【００５７】
背面側基板や情報表示用パネル基板の表示エリア外に設ける電極材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン等の導電性高分子類や、金、銀、銅、アルミニウム、ニッケル、クロム等の金属や、これらの金属を主成分とする合金が挙げられ、このうち可とう性に優れた金属が好ましく用いられる。基板の表示エリア外に設ける電極は透明であってもよいし、透明でなくても良い。
【００５８】
電極の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察面側電極厚みは、導電性が確保でき光透過性に支障がなければ良く、０．０１〜１０μｍが好ましく、０．０５〜５μｍがより好ましい。また、背面側電極厚みは、導電性が確保できれば良く、０．０１〜１０μｍが好ましく、０．０５〜５μｍがより好ましい。
【００５９】
表示エリアに設ける電極をライン状のストライプ電極とする場合には、ストライプ電極の幅、厚さが電気抵抗に係り、ストライプ電極長が長くなると電気抵抗による電圧降下の影響が顕著になるため、画素サイズに影響しない電極厚さは、光透過性に影響しない範囲でできるだけ厚くして電気抵抗を小さくすることが好ましい。
【００６０】
基板間ギャップ確保用として設ける隔壁部分や、セル形成専用の隔壁部分の形成材料としては、ドライフィルムレジスト材が好適に用いられる。一例として、アルフォＮＩＴ２（ニチゴーモートン社製）やＰＤＦ３００（新日鐵化学社製）を使用することができる。
【００６１】
形成したい隔壁部分の高さに合せた厚みのドライフィルムレジスト材をパネル基板に積層し、所定形状のフォトマスクを用いてフォトリソ法によってパターニングしたり、金型を用いて隔壁を転写形成したりすることができる。
【００６２】
本発明で用いることができる接着剤組成物の配合例を以下の表１に示す。液状エラストマーとしてはポリイソプレン（［化１］の１、重量平均分子量３０，０００）、ポリスチレン−ポリブタジエン（［化１］の２、重量平均分子量３０，０００）、およびポリイソプレンのアリル位を一部無水コハク酸で置換したエラストマー（［化１］の３、重量平均分子量２５，０００、クラレ製LIR430）を用いた。単官能アクリル系化合物としてドデシルメタクリレート（［化１］の４）およびヘキシルメタクリレート（［化１］の５）を、多官能アクリル系化合物としてテトラエチレングリコールジアクリレート（［化１］の６）を、多官能メタクリル系化合物としてテトラエチレングリコールジメタクリレート（［化１］の７）を、多官能アクリル系化合物としてトリメチロールプロパントリアクリレート（［化１］の８）を用いた。光ラジカル発生剤としては、チバ・ジャパン製のIrgacure（登録商標）184（［化１］の９）、Irgacure 651（［化１］の１０）を、熱ラジカル発生剤としては、１，１−ジ（ｔ−ブチルパーオキシ）シクロヘキサン（［化１］の１１）およびアセチルアセトンパーオキサイド（［化１］の１２）を用いることができる。
【００６３】
【化１】
2010100382.tif 000003
【００６４】
【表１】
2010100382.tif 000004
【００６５】
表１に示す配合例の接着剤組成物を接着剤９として用いて、図８に示した構造の情報表示用パネル（ＩＴＯライン電極付きの２枚のポリエチレンテレフタレートフィルム基板を貼り合わせた構成でパッシブ駆動する方式のもの）を作製し、図１４（ｂ）に示した構成の情報表示ユニットとして、エスカレーターの手摺りベルトの評価用エンドレスベルトに搭載して表示書き換え性能および機械的強度の耐久性を評価した。
【００６６】
情報表示ユニットを評価用エンドレスベルトに搭載する方法および情報表示用パネルと回路基板とを重ねた構成とする場合に重ねて貼り合わせる方法としては、いずれも両面に粘着剤が配置されたフィルム（市販の両面粘着テープ）を用いて貼り合わせ、エンドレスベルト表面に情報表示部を固定する方法を用いた。
【００６７】
いずれの場合も、情報表示ユニットが破壊したり、回路基板が破壊したりすることがなく、表示書き換えも良好に行える結果が得られ、情報表示ユニットがＵターン時に曲げられることに対応できるフレキシビリティと、Ｕターンする度に曲げと曲げからの戻しとが繰り返し働くことに対する耐久性を満足できるものであることが分かった。
【００６８】
これまでフレキシブルな情報表示用パネルとして、帯電粒子気体中移動方式の情報表示用パネルについて説明してきたが、フレキシブルな情報表示用パネルとしてはこの他に、帯電粒子電気泳動方式や液晶方式、エレクトロルミネッセンス（ＥＬ）方式を、２枚の、少なくとも一方向に曲げられるフレキシブル基板で構成した情報表示用パネルがある。
【００６９】
いずれの表示方式の情報表示用パネルを用いた情報表示ユニットであっても、これまでに述べてきた構成とすることにより、本発明のエンドレスベルトの情報表示ユニットとして使用することができる。
【００７０】
これら情報表示ユニットの情報表示用パネルにおいて、パネル基板間の空間に配置する接着剤や枠シール剤、さらに導電微粒子を含有した異方導電性シール剤、異方導電性接着剤などに本発明に係る接着剤組成物を用いることによって、回転搬送体に用いるエンドレスベルトに搭載可能な情報表示ユニットとすることができる。
【００７１】
本発明のエンドレスベルトを搭載する回転搬送体は、情報表示用パネルと回路基板とを含む構成であり、回路を構成する電気部品は回路基板に搭載することが好ましいが、情報表示用パネルのフレキシビリティを損なわないようにして、情報表示用パネルに搭載することもできる。
【００７２】
また、情報表示用パネルの駆動方式としては、セグメント駆動させる方式やドットマトリックスをパッシブ駆動する方式、ドットマトリックスをアクティブ駆動させる方式を用いることができる。
【産業上の利用可能性】
【００７３】
本発明のエンドレスベルトは、エスカレータや動く歩道のようなマンコンベヤの手摺りベルトのほか、物品を搬送するコンベアベルトなど、Ｕターン時に曲げられ、人や物品を搬送している時には平坦になるといった、曲げと戻りとが繰り返される回転搬送機能を有する装置に用いる回転型エンドレスベルトの表面で、情報表示用パネルによって情報表示できるようにした構成の回転型エンドレスベルトとして好適に用いることができる。
【００７４】
また、本発明の情報表示ユニットを搭載した回転型エンドレスベルトは、Ｕターン時に曲げられ、情報を表示している時には平坦になるといった、曲げと戻りとが繰り返されるベルト部に情報表示ユニットが搭載された回転型エンドレスベルトとしても好適に用いることができる。
【図面の簡単な説明】
【００７５】
【図１】（ａ）−（ｃ）はそれぞれ本発明のエンドレスベルトを用いる回転搬送体の情報表示部として使用する情報表示用パネルの一例を示す図である。
【図２】（ａ）−（ｃ）はそれぞれ本発明のエンドレスベルトを用いる回転搬送体の情報表示部として使用する情報表示用パネルの他の例を示す図である。
【図３】（ａ）−（ｃ）はそれぞれ本発明のエンドレスベルトを用いる回転搬送体の情報表示部として使用する情報表示用パネルのさらに他の例を示す図である。
【図４】（ａ）、（ｂ）はそれぞれ本発明のエンドレスベルトを用いる回転搬送体の情報表示部として使用する情報表示用パネルのさらに他の例を示す図である。
【図５】（ａ）、（ｂ）はそれぞれ本発明のエンドレスベルトを用いる回転搬送体の情報表示部として使用する情報表示用パネルのさらに他の例を示す図である。
【図６】（ａ）−（ｃ）はそれぞれ本発明のエンドレスベルトを用いる回転搬送体の情報表示部として使用する情報表示用パネルのさらに他の例を示す図である。
【図７】（ａ）−（ｃ）はそれぞれ本発明のエンドレスベルトを用いる回転搬送体の情報表示部として使用する情報表示用パネルのさらに他の例を示す図である。
【図８】（ａ）−（ｃ）はそれぞれ本発明のエンドレスベルトを用いる回転搬送体の情報表示部として使用する情報表示用パネルの製造方法の一例を説明するための図である。
【図９】（ａ）−（ｃ）はそれぞれ本発明のエンドレスベルトを用いる回転搬送体の情報表示部として使用する情報表示用パネルの製造方法の他の例を説明するための図である。
【図１０】（ａ）−（ｃ）はそれぞれ本発明のエンドレスベルトを用いる回転搬送体の情報表示部として使用する情報表示用パネルにおいて、可とう性を持たせるための一構成を説明するための図である。
【図１１】本発明のエンドレスベルトを用いる回転搬送体の情報表示部として使用する情報表示用パネルにおいて、通信を可能とするための一構成を説明するための図である。
【図１２】本発明のエンドレスベルトを用いる回転搬送体の情報表示部として使用する情報表示用パネルにおいて、通信を可能とするための他の構成を説明するための図である。
【図１３】本発明のエンドレスベルトを用いる回転搬送体の情報表示部として使用する情報表示用パネルにおいて、通信を可能とするためのさらに他の構成を説明するための図である。
【図１４】（ａ）−（ｄ）はそれぞれ本発明のエンドレスベルトを用いる回転搬送体の一例としてエスカレータの例を説明するための図である。
【図１５】（ａ）−（ｃ）はそれぞれ図１４（ａ）−（ｄ）に示したエスカレータに設けた情報表示部に表示する情報の一例を説明するための図である。
【符号の説明】
【００７６】
１、２  基板
３Ｗ    白色表示媒体
３Ｗａ  負帯電性白色粒子
３Ｂ    黒色表示媒体
３Ｂａ  正帯電性黒色粒子
４      隔壁
４−１  基板間ギャップ確保用部材
４−２、４−２−１、４−２−２  仕切り部材
５、６  電極
７      セル
８      隙間
９      接着剤
２１−１〜２１−４    セル
２２Ｒ    赤色カラーフィルター
２２Ｇ    緑色カラーフィルター
２２ＢＬ  青色カラーフィルター
２２Ｔ    透明カラーフィルター
３１    背面側基板
３２    表示エリア
３３    第１のストライプ電極
３４    観察面側基板
３５    第２のストライプ電極
３６    第２の引き出し電極
３７    第１の引き出し電極
３８    シール剤
４１    情報表示部（情報表示ユニット）
４２    表示器
４３    ドライバー回路
４４    ＣＰＵ
４５    通信回路
４６    バッテリー
４７    外部装置
５１    表示情報保護回路
５２    ２次電池
６１    ベルト
６２    利用者
７１    フレキシブルな回路基板
７２    フレキシブルな情報表示用パネル
８１    太い点線
８２    細い点線
【図１】
2010100382.tif 000005
【図２】
2010100382.tif 000006
【図３】
2010100382.tif 000007
【図４】
2010100382.tif 000008
【図５】
2010100382.tif 000009
【図６】
2010100382.tif 000010
【図７】
2010100382.tif 000011
【図８】
2010100382.tif 000012
【図９】
2010100382.tif 000013
【図１０】
2010100382.tif 000014
【図１１】
2010100382.tif 000015
【図１２】
2010100382.tif 000016
【図１３】
2010100382.tif 000017
【図１４】
2010100382.tif 000018
【図１５】
2010100382.tif 000019